(57)【特許請求の範囲】
【請求項１】
液体を充填した可撓性を有する液体容器と、該液体容器を収納する外容器と、前記液体容器の口部に装着されて液体の吸引・注出を行うポンプ体と、該ポンプ体の吸引部に連通状態で取り付けられると共に前記液体容器の内部に挿通配設される吸引管と、を有して成り、
前記ポンプ体の動作によって前記液体容器内の液体を吸引・注出するに従って、前記液体容器内の負圧化に伴って収縮（縮小）していく構成のエアレスタイプの液体取出装置において、
前記外容器が、上部開口構成の本体と、該本体の上部に被せた状態で螺合結合することにより上部開口を被覆する構成の蓋体と、を有して成り、
前記蓋体が開口部を有する天板と該天板の縁部から連設状態で垂設する側壁部とを有して成り、
螺合により前記本体と蓋体とが螺合結合した際に当接する本体の上部開口の上端部と蓋体の天板の下面部との間に通気路が設けられた構成であり、
更に、前記外容器の蓋体の天板の開口部に前記液体容器の口部が下方から挿通されて上方に突出した状態で該口部の基部が前記開口部に取り付けられた状態となる構成であり、
前記開口部に前記基部が取り付けられた際に、前記開口部の内周面の少なくとも一部の全周部と前記基部の外周面の少なくとも一部の全周部とが密接する状態となる構成であることによって、前記外容器と液体容器との取付部分から前記外容器内への水分の浸入を阻止する液密構成であり、
前記外容器の蓋体の天板の開口部が、該開口部から下方に垂設状態で連設する開口円筒部を成しており、この開口円筒部の内周面の上部に凸条リブが設けられており、
前記基部の上部に１枚の上鍔状部が設けられ、下部に別なる１枚の下鍔状部が設けられており、
前記上鍔状部と下鍔状部の各々が前記開口円筒部の内周面に密接することによって液密状態となる構成であり、
更に、前記基部の上鍔状部と下鍔状部との間に螺子構成が設けられていると共に、この螺子構成が螺合する被螺子構成が前記開口円筒部の対応位置に設けられていることにより、前記外容器の開口部と液体容器の口部との螺合取付が可能であること、
を特徴とする液体取出装置。
【請求項２】
前記外容器の開口部が、該開口部から下方に垂設状態で連設する開口円筒部を成しており、この開口円筒部と前記液体容器の基部との間が液密構成であることを特徴とする請求項１に記載の液体取出装置。
【請求項３】
前記開口円筒部の内周面の上部及び下部の二箇所と前記液体容器の基部との密接による二重の液密構成であることを特徴とする請求項１又は２に記載の液体取出装置。
【請求項４】
前記外容器の開口部と前記液体容器の口部との螺合構成において、螺合時の過剰緊締を防止する回り止め部が設けられていることを特徴とする請求項１〜３のいずれかに記載の液体取出装置。
【請求項５】
前記外容器の開口部と前記液体容器の口部との螺合構成において、螺合時の緊締完了位置乃至は緊締完了近傍位置まで螺合回転された状態であることを知らせる螺合回転負荷部が設けられていることを特徴とする請求項１〜４のいずれかに記載の液体取出装置。
【請求項６】
前記外容器の開口部と前記液体容器の口部との螺合構成において、緊締螺合された螺合構成の逆回転による螺合緩みを防止する逆回り止め部が設けられていることを特徴とする請求項１〜５のいずれかに記載の液体取出装置。
【請求項７】
前記外容器の開口部と前記液体容器の口部との螺合構成において、緊締螺合された螺合構成の逆回転による螺合緩みを防止する逆回り止め部が設けられており、
螺合回転時に、この逆回り止め部を負荷をかけて通過させた位置が緊締完了位置であることを特徴とする請求項１〜６のいずれかに記載の液体取出装置。
【請求項８】
前記液体容器の口部と前記ポンプ体との取付構成が螺合構成であることを特徴とする請求項１〜７のいずれかに記載の液体取出装置。
【請求項９】
前記外容器が、螺合により当接する本体の上部開口の上端部と蓋体の天板の下面部のいずれか一方又は両方に凸部及び／又は凹部が設けられて通気路が形成された構成であることを特徴とする請求項１〜８のいずれかに記載の液体取出装置。
【請求項１０】
前記外容器の本体の上部の螺合部分の下方近傍の全周であって、且つ前記蓋体が被覆結合した際に該蓋体によって被覆される部分にフランジ部が設けられた構成であることを特徴とする請求項１〜９のいずれかに記載の液体取出装置。
【発明の詳細な説明】
【技術分野】
【０００１】
本発明は液体取出装置に関し、詳しくは外容器に交換可能に収納した可撓性の液体容器に充填された液体を吸引・注出するエアレスタイプの液体の取出装置に関する。
【背景技術】
【０００２】
外容器内に収容した可撓性を有する液体容器に充填された液体をポンプ手段により吸引・注出するに従って前記液体容器内の負圧化に伴って収縮（縮小）していく構成のエアレスタイプの液体取出装置は、水場に置いて使用することが一般的である（例えば、特許文献１〜４等参照）。
【０００３】
具体的な使用場所を挙げれば、液体容器に充填する液体の種類が、シャンプー・リンス類であれば浴室、液体石鹸類であれば浴室や洗面所、食器用洗剤類であればキッチンシンク等である。
【０００４】
以上のように水場に置かれて使用する場合、湯水で濡れた手でポンプ操作を行う際は勿論のこと、水場におけるシャワーや洗い水の使用によって、湯水が液体取出装置に直接降りかかるため該液体取出装置全体が濡れるだけでなく、外容器の内部にまで湯水が浸入してしまうことが多々ある。
【０００５】
液体取出装置の外容器の内部に湯水が浸入した場合、該外容器の内側や内部に収納した液体容器表面に経時によりヌメリやカビが発生し易く、不衛生になり易いという問題点を有している。
【０００６】
また、エアレスタイプの液体取出装置の場合、吸引・注出するに従って収縮する液体容器の容積と同量の空気を外容器内に取り込んで「空気置換」を行うことによって該外容器内が減圧状態になることを避ける必要がある。これは外容器内が減圧状態になると液体の吸引・注出時の液体容器の収縮の抵抗となるからである。
【０００７】
そこで従来は空気置換を行う構成として、外容器の底部に通気路となる透孔を設けることが行われている（例えば、特許文献５〜８等参照）。
【先行技術文献】
【特許文献】
【０００８】
【特許文献１】実開平０５−０４４８５４号
【特許文献２】実開平０３−０１７０５９号
【特許文献３】実開平０６−００３８７７号
【特許文献４】実開平０６−０３２３４７号
【特許文献５】実開昭６３−０４９３７１号
【特許文献６】特開平１１−０７９２４５号
【特許文献７】特開２０００−１８９２４４号
【特許文献８】特開２００６−２９８４９８号
【発明の概要】
【発明が解決しようとする課題】
【０００９】
外容器の底部に設けた透孔により空気置換を行う技術によれば、円滑な空気置換が可能であるが、浴室等のタイル床等に直置きした場合等に底部の透孔から湯水が浸入し易く、ヌメリやカビの発生を防ぐことは困難であることが判った。
【００１０】
そこで本発明の目的は、エアレスタイプの液体取出装置に必要な空気置換を円滑に行うことができ、しかも外容器の内部への湯水の浸入を抑止することができる衛生的に使用可能な液体取出装置を提供することにある。
【課題を解決するための手段】
【００１１】
上記課題を解決する本発明は、下記構成を有する。
【００１２】
１．液体を充填した可撓性を有する液体容器と、該液体容器を収納する外容器と、前記液体容器の口部に装着されて液体の吸引・注出を行うポンプ体と、該ポンプ体の吸引部に連通状態で取り付けられると共に前記液体容器の内部に挿通配設される吸引管と、を有して成り、
前記ポンプ体の動作によって前記液体容器内の液体を吸引・注出するに従って、前記液体容器内の負圧化に伴って収縮（縮小）していく構成のエアレスタイプの液体取出装置において、
前記外容器が、上部開口構成の本体と、該本体の上部に被せた状態で螺合結合することにより上部開口を被覆する構成の蓋体と、を有して成り、
前記蓋体が開口部を有する天板と該天板の縁部から連設状態で垂設する側壁部とを有して成り、
螺合により前記本体と蓋体とが螺合結合した際に当接する本体の上部開口の上端部と蓋体の天板の下面部との間に通気路が設けられた構成であり、
更に、前記外容器の蓋体の天板の開口部に前記液体容器の口部が下方から挿通されて上方に突出した状態で該口部の基部が前記開口部に取り付けられた状態となる構成であり、
前記開口部に前記基部が取り付けられた際に、前記開口部の内周面の少なくとも一部の全周部と前記基部の外周面の少なくとも一部の全周部とが密接する状態となる構成であることによって、前記外容器と液体容器との取付部分から前記外容器内への水分の浸入を阻止する液密構成であり、
前記外容器の蓋体の天板の開口部が、該開口部から下方に垂設状態で連設する開口円筒部を成しており、この開口円筒部の内周面の上部に凸条リブが設けられており、
前記基部の上部に１枚の上鍔状部が設けられ、下部に別なる１枚の下鍔状部が設けられており、
前記上鍔状部と下鍔状部の各々が前記開口円筒部の内周面に密接することによって液密状態となる構成であり、
更に、前記基部の上鍔状部と下鍔状部との間に螺子構成が設けられていると共に、この螺子構成が螺合する被螺子構成が前記開口円筒部の対応位置に設けられていることにより、前記外容器の開口部と液体容器の口部との螺合取付が可能であること、
を特徴とする液体取出装置。
【００１３】
２．前記外容器の開口部が、該開口部から下方に垂設状態で連設する開口円筒部を成しており、この開口円筒部と前記液体容器の基部との間が液密構成であることを特徴とする上記１に記載の液体取出装置。
【００１６】
３．前記開口円筒部の内周面の上部及び下部の二箇所と前記液体容器の基部との密接による二重の液密構成であることを特徴とする上記１又は２に記載の液体取出装置。
【００２１】
４．前記外容器の開口部と前記液体容器の口部との螺合構成において、螺合時の過剰緊締を防止する回り止め部が設けられていることを特徴とする上記１〜３のいずれかに記載の液体取出装置。
【００２２】
５．前記外容器の開口部と前記液体容器の口部との螺合構成において、螺合時の緊締完了位置乃至は緊締完了近傍位置まで螺合回転された状態であることを知らせる螺合回転負荷部が設けられていることを特徴とする上記１〜４のいずれかに記載の液体取出装置。
【００２３】
６．前記外容器の開口部と前記液体容器の口部との螺合構成において、緊締螺合された螺合構成の逆回転による螺合緩みを防止する逆回り止め部が設けられていることを特徴とする上記１〜５のいずれかに記載の液体取出装置。
【００２４】
７．前記外容器の開口部と前記液体容器の口部との螺合構成において、緊締螺合された螺合構成の逆回転による螺合緩みを防止する逆回り止め部が設けられており、
螺合回転時に、この逆回り止め部を負荷をかけて通過させた位置が緊締完了位置であることを特徴とする上記１〜６のいずれかに記載の液体取出装置。
【００２６】
８．前記液体容器の口部と前記ポンプ体との取付構成が螺合構成であることを特徴とする上記１〜７のいずれかに記載の液体取出装置。
【００２７】
９．前記外容器が、螺合により当接する本体の上部開口の上端部と蓋体の天板の下面部のいずれか一方又は両方に凸部及び／又は凹部が設けられて通気路が形成された構成であることを特徴とする上記１〜８のいずれかに記載の液体取出装置。
【００２８】
１０．前記外容器の本体の上部の螺合部分の下方近傍の全周であって、且つ前記蓋体が被覆結合した際に該蓋体によって被覆される部分にフランジ部が設けられた構成であることを特徴とする上記１〜９のいずれかに記載の液体取出装置。
【発明の効果】
【００２９】
請求項１に示す発明によれば、エアレスタイプの液体取出装置に必要な空気置換を円滑に行うことができ、しかも外容器の内部への湯水の浸入を抑止することができる衛生的に使用可能な液体取出装置を提供することができる。
【００３０】
特に、外容器に収納した液体容器の該外容器への取付は、該外容器の蓋体等の上部に設けられた開口部に前記液体容器の口部を固定することによって行われるが、この開口部と口部との固定部分を密接する状態とすることにより液密構成となるため、従来のようにこの開口部と口部との固定部分に存在する間隙からの湯水の外容器内への浸入を防止することができる。従って、長期に亘って、例えば、液体容器に充填した液体を使い切るまでの期間に亘って、外容器内のヌメリやカビの発生を抑止することができるので衛生的に使用することができる。
【００３１】
また、螺合により本体と蓋体とが螺合結合した際に当接する本体の上部開口の上端部と蓋体の天板の下面部との間に通気路が設けられた構成によって、吸引・注出するに従って収縮する液体容器の容積と同量の空気が、外容器の本体の上部と蓋体の側壁部との間を通り、更に前記通気路を通って外容器内に取り込まれるので「空気置換」が円滑に行われることになる。従って、外容器内が減圧状態になることが避けられ、前記した液体の吸引・抽出が阻害されることなく円滑に行われることになる。
そしてこの空気置換が行われる通気路が外容器の本体の上部であって外容器の蓋体が被さる部分に設けられているため、外容器の底部からの湯水の浸入が無いだけでなく、シャワー等により液体取出装置に降りかかる湯水も外容器内へ浸入し難いためヌメリやカビの抑止効果が高い。
【００３２】
請求項２に示す発明によれば、外容器の開口部を円筒状を有する開口円筒部とすることにより、該開口部の取付箇所が単なる開口部よりも増大するので、外容器の開口部に液体容器の口部を確実に取り付ける構成と液密構成の両構成の確保が容易となる。
【００３３】
請求項３に示す発明によれば、外容器の上面に近い位置での液密構成によって、湯水の浸入経路の入口部分での浸入を阻止することが可能となる。
【００３４】
請求項４に示す発明によれば、外容器の内部に入り込む位置での液密構成によって、湯水の浸入経路の出口部分での浸入を阻止することが可能となる。
【００３５】
請求項５に示す発明によれば、外容器の上面に近い位置と内部に入り込む位置での二重の液密構成によって、湯水の浸入経路の入口部分と出口部分での浸入を二重に阻止することが可能となる。
【００３６】
請求項６に示す発明によれば、製造する際のサイズ調整が容易なので液密構成が得られ易い。
【００３７】
請求項７に示す発明によれば、製造する際の密接強度調整が容易なので液密構成が得られ易い。
【００３８】
請求項８に示す発明によれば、外容器への液体容器の取付が容易であり、液体を使い切った後の交換の際も速やか且つ容易に液体容器の交換ができる。
【００３９】
請求項９に示す発明によれば、外容器の上面に近い位置と内部に入り込む位置での二重の液密構成によって、湯水の浸入経路の入口部分と出口部分での浸入を二重に阻止することが可能であり、しかも外容器と液体容器との取付構成である螺合構成部分が前記の二重の液密構成の間に設けられているため螺合構成が湯水に浸かることを防止することができる。従って、螺合構成の螺子部分にヌメリやカビが発生することを抑制することができる。
【００４０】
請求項１０に示す発明によれば、螺合した際に最善の緊締位置で緊締を停止させることができるため、螺合構成の螺子部分等を過剰緊締によって損傷したり、或いは緊締不足になることを防止することができる。
【００４１】
請求項１１に示す発明によれば、螺合した際に最善の緊締位置まで螺合できたか否かを容易に判断することができるため、螺合構成の螺子部分等を過剰緊締によって損傷したり、或いは緊締不足になることを防止することができる。
【００４２】
請求項１２に示す発明によれば、外容器と液体容器との取付構成である螺合の緩みを防止することによって、外容器からの液体容器の脱落を防止することができるだけでなく、取付部分の密接状態を保持することができるので液密構成を維持することができる。また、液体容器の口部にポンプ体を螺合によって取り付ける際に、該ポンプ体の螺合時に液体容器の口部が供回りして液体容器の開口部から脱落してしまうことを防止することができる。
【００４３】
請求項１３に示す発明によれば、螺合した際に最善の緊締位置まで螺合できたか否かを容易に判断することができるため、螺合構成の螺子部分等を過剰緊締によって損傷したり、或いは緊締不足になることを防止することができ、更には、外容器と液体容器との取付構成である螺合の緩みを防止することによって、外容器からの液体容器の脱落を防止することができるだけでなく、取付部分の密接状態を保持することができるので液密構成を維持することができる。また、液体容器の口部にポンプ体を螺合によって取り付ける際に、該ポンプ体の螺合時に液体容器の口部が供回りして外容器の開口部から脱落してしまうことを防止することができる。
【００４４】
請求項１４に示す発明によれば、外容器の開口部に対して液体容器の口部を嵌合することにより外容器への液体容器の取付が可能となるだけでなく、この取付部分における液密構成を得ることができる。
【００４５】
請求項１５に示す発明によれば、外容器に取り付けた液体容器の口部にポンプ体を容易に取り付けることができる。また、液体の使い切り後の液体容器の交換の際も該液体容器の口部からポンプ体を容易に取り外すことができる。
【００４６】
請求項１６に示す発明によれば、極めて簡易な構成により空気置換を行う通気路を形成することができるので、製造コストの上昇を招くことがない。
【００４７】
請求項１７に示す発明によれば、シャワー等によるタイル床面等からの跳ね返り水が、外容器の蓋体の側壁部と本体上部との間に下方からの浸入を抑止することができる。
【図面の簡単な説明】
【００４８】
【図１】本発明に係る液体取出装置の一実施例を示す構成説明図
【図２】図１の液体取出装置の外容器の開口部と液体容器の口部との取付構成及び液密構成を説明する要部説明図（一部断面）
【図３】外容器の開口部と液体容器の口部との取付構成に適用される回り止め部・螺合回転負荷部・逆回り止め部の実施例を説明する要部説明図（一部断面）
【図４】図１の液体取出装置の外容器の本体の上部と蓋体との螺合結合構成の一例を説明する要部説明断面図
【図５】外容器の蓋体の一例を示す底面図
【図６】外容器の開口部と液体容器の口部との取付構成及び液密構成の他の実施例を説明する要部説明図（一部断面）
【図７】外容器の開口部と液体容器の口部との取付構成及び液密構成の他の実施例を説明する要部説明図（一部断面）
【図８】外容器の開口部と液体容器の口部との取付構成及び液密構成の他の実施例を説明する要部説明図（一部断面）
【図９】外容器の開口部と液体容器の口部との取付構成及び液密構成の他の実施例を説明する要部説明図（一部断面）
【図１０】外容器の開口部と液体容器の口部との取付構成及び液密構成の他の実施例を説明する要部説明図（一部断面）
【図１１】外容器の蓋体の他の例を示す断面図
【図１２】外容器の本体の他の例を示す要部側面図
【図１３】外容器の本体の更に他の例を示す要部側面図
【発明を実施するための形態】
【００４９】
本発明に係る液体取出装置について図１〜図１３に基づき詳細に説明する。
【００５０】
本発明は、シャンプー、コンディショナー、トリートメント、その他の頭髪用品をはじめ、液状石鹸、化粧液、歯磨き、食器用洗剤、ソース、マヨネーズ、食用油、機械油、その他の各種液体（ゲル状或いはゼリー状等の高粘度液体を含む）が充填された液体容器から前記液体をポンプ体によって吸引・注出するに従って、前記液体容器内の負圧化に伴って収縮（縮小）していく構成のエアレスタイプの液体取出装置である。液体容器内の液体の吸引・注出によって空になった後は、満充填された新規の詰替用の液体容器に交換して使い続けることができる構成である。
【００５１】
先ず、図１に示すように、本発明の液体取出装置１は、液体を収納した可撓性を有する液体容器２と、該液体容器２の上部に装着される液体の吸引・注出手段であるポンプ体３と、該ポンプ体３の吸引部に連通状態で取り付けられると共に前記液体容器２の内部に挿通配設される吸引管４と、前記液体容器２を収納する外容器５（蓋体５Ａと本体５Ｂ）と、を有して成り、
前記ポンプ体３の動作によって前記液体容器２内の液体を吸引・注出するに従って、前記液体容器２内の負圧化に伴って収縮（縮小）していくエアレスタイプ構成を有し、
前記外容器５が、上部開口構成の本体５Ｂと、該本体５Ｂの上部に被せた状態で螺合結合することにより上部開口を被覆する構成の蓋体５Ａと、を有して成り、
前記蓋体５Ａが開口部５１を有する天板５２と該天板５２の縁部から連設状態で垂設する側壁部５７とを有して成り、
螺合により前記本体５Ｂと蓋体５Ａとが螺合結合した際に当接する本体５Ｂの上部開口の上端部と蓋体５Ａの天板５２の下面部との間に通気路Ａが設けられた構成であり、
更に、前記外容器５の蓋体５Ａの天板５２に開口部５１が設けられており、この開口部５１に前記液体容器２の口部２１が下方から挿通されて上方に突出した状態で該口部２１の基部２２が前記開口部５１に取り付けられた状態となる構成であり、
前記開口部５１に前記基部２２が取り付けられた際に、前記開口部５１の内周面の少なくとも一部の全周部と前記基部２２の外周面の少なくとも一部の全周部とが密接する状態となる構成であることによって、前記外容器５と液体容器２との取付部分から前記外容器５内への水分の浸入を阻止する液密構成となっている。
【００５２】
以下、本発明の構成について更に詳説する。
【００５３】
液体容器２は、本実施例では周囲をヒートシールにより封止した袋状を成すものであり、上部のヒートシール部には前記ポンプ体３が取り付けられる口部２１を有する取付部材２３が同時に熱溶着されている。前記ポンプ体３の取付けは、口部２１に螺合取付される本実施例に示す構成の他、圧入・嵌合等の手段を採ることもできる。
【００５４】
更に、液体容器２としては、この種のエアレスタイプに用いられる袋体として公知公用のものを特別の制限無く用いることができ、例えば、ポリプロピレンフィルム、ポリエチレンフィルム、ナイロンフィルム等のフィルム単層体、或いはこれら複数のフィルム積層体から成る酸素透過抑制積層フィルム等による袋体を挙げることができる。また、形状は本実施例の袋状に限らず、ボトル状等の公知公用の他の形状を有していてもよい。
【００５５】
ポンプ体３及び吸引管４としては、この種のエアレスタイプの液体取出装置に用いられる公知公用のポンプ及び吸引管を特別の制限なく用いることができ、上部の押下部を押込操作することで吸引管４並びにポンプ動作部内のピストン・シリンダ内を通って液体容器２内の液体を吐出口から吐出することができる。尚、ポンプ体３のポンプ構成については、この種の液体取出装置に用いられる一般的なポンプ構成であるため、本明細書ではポンプ体３のポンプ機構についての説明は省略する。
【００５６】
外容器５は、本実施例では蓋体５Ａと本体５Ｂとを有して成る構成であり、前記該外容器５の上部の開口部５１は蓋体５Ａの上部に設けられている。また、蓋体５Ａと本体５Ｂとの取付構成は本実施例では螺合構成であるが、嵌合等の他の構成を採ることもできる。更に外容器５の材質としては、合成樹脂製、金属製、陶磁器製、木製等を挙げることができ、中でも、インジェクション成形やブロー成形等によって成形された合成樹脂製であることが好ましく、中でも低コストで成形可能なブロー成形によるポリエチレン製やポリプロピレン製が特に好ましい。
【００５７】
尚、外容器５には、本体５Ｂの上部の螺合部分の下方近傍の全周であって、且つ前記蓋体５Ａが被覆結合した際に該蓋体５Ａによって被覆される部分にフランジ部５４が設けられた構成であることが好ましい。かかるフランジ部５４が建築物における「ねずみ返し」のように作用することによって、シャワー等によるタイル床面等からの跳ね返り水が、外容器５の蓋体５Ａの側壁部５３と本体５Ｂ上部との間に下方からの浸入を抑止することができる。
【００５８】
外容器５と液体容器２との取付構成における液密構成の具体的な実施例としては、図２に示すように、前記外容器５の蓋体５Ａの開口部５１は、該開口部５１から下方に垂設状態で連設する開口円筒部５１Ａを成しており、この開口円筒部５１Ａの内周面の上部に凸条リブ５１Ｂが設けられており、
前記外容器２の口部２１の基部２２の上部に１枚の上鍔状部２４が設けられ、下部に別なる１枚の下鍔状部２５が設けられており、
前記上鍔状部２４と下鍔状部２５の各々が開口部５１の開口円筒部５１Ａの内周面に二箇所で密接することによって二重の液密状態となる構成である。
【００５９】
以上の構成によって、図２（Ａ）に示す取付前状態から図２（Ｂ）に示す取付状態に成ることにより、上鍔状部２４が凸条リブ５１Ｂを乗り越えた位置で該凸条リブ５１Ｂと開口円筒部５１Ａの当接状態で密接して該開口円筒部５１Ａの上部が液密となり、更に、開口円筒部５１Ａの下面に下鍔状部２５が密接して該開口円筒部５１Ａの下部が液密となり、二重の液密構成を得ることができる。
【００６０】
更に外容器５と液体容器２との取付構成としては、前記基部２２の上鍔状部２４と下鍔状部２５との間に螺子構成２２Ａが設けられていると共に、この螺子構成２２Ａが螺合する被螺子構成５１Ｃが前記開口円筒部５１Ａの対応位置に設けられていることにより、前記外容器５の開口部５１と液体容器２の口部２１との螺合取付が可能になっている。
【００６１】
以上の構成、即ち、外容器５の上面に近い位置と内部に入り込む位置での二重の液密構成によって、湯水の浸入経路の入口部分と出口部分での浸入を二重に阻止することが可能であり、しかも外容器５と液体容器２との取付構成である螺合構成（螺子構成２２Ａと被螺子構成５１Ｃ）が前記の二重の液密構成の間に設けられているため該螺合構成（螺子構成２２Ａと被螺子構成５１Ｃ）が湯水に浸かることを防止することができる。従って、螺合構成（螺子構成２２Ａと被螺子構成５１Ｃ）の部分にヌメリやカビが発生することを抑制することができる。
【００６２】
次に図３に示すように、前記開口部５１と前記口部２１との螺合構成（螺子構成２２Ａと被螺子構成５１Ｃ）において、螺合時の過剰緊締を防止する回り止め部が設けられていることが好ましい。本実施例に示す回り止め部としては、下鍔状部２５の外周の一部に外側方向に突起する掛止爪部２６と、開口円筒部５１Ａの外周に設けられると共に該開口円筒部５１Ａより下方に突起する被掛止爪部５３との組合せから構成されている。この回り止め部によって、螺合した際に最善の緊締位置で緊締を停止させることができるため、螺合構成の螺子部分等（螺子構成２２Ａや被螺子構成５１Ｃ）を過剰緊締によって損傷したり、或いは緊締不足になることを防止することができる。
【００６３】
更に本実施例では、この回り止め部の構成に加えて、前記被掛止爪部５３の螺合回転方向手前位置に該被掛止爪部５３より突起長さの短い螺合回転負荷部５４が設けられていることが好ましい。この螺合回転負荷部５４は、前記外容器５の開口部５１と前記液体容器２の口部２１との螺合構成において、螺合時の緊締完了位置乃至は緊締完了近傍位置まで螺合回転することによって前記掛止爪部２６が螺合回転負荷部５４に当接し、更に螺合回転させて前記掛止爪部２６が螺合回転負荷部５４を乗り越えるとき生じる負荷によって、最善の緊締位置まで螺合できたか否かを容易に判断することができる。従って、螺合構成の螺子部分等を過剰緊締によって損傷したり、或いは緊締不足になることを防止することができる。
【００６４】
上記の螺合回転負荷部５４は、乗り越えた前記掛止爪部２６の逆回転による螺合緩みを防止する逆回り止め部を兼ねていることが好ましい。掛止爪部２６は、乗り越えた螺合回転負荷部５３に緊締螺合の回転方向の後方側を抑えられるため、螺合の緩みが防止されることによって、外容器５からの液体容器２の脱落を防止することができるだけでなく、取付部分の密接状態を保持することができるので液密構成を維持することができる。また、液体容器２の口部２１にポンプ体３を螺合によって取り付ける際に、該ポンプ体３の螺合時に液体容器２の口部２１が供回りして外容器５の開口部５１から脱落してしまうことを防止することができる。
【００６５】
以上の構成を有する本発明の液体取出装置１によれば、外容器５の内部への湯水の浸入を抑止することによって衛生的に使用可能である。
【００６６】
特に、外容器５に収納した液体容器２の該外容器５への取付は、該外容器５の蓋体５Ａの上部に設けられた開口部５１に前記液体容器２の口部２１を固定することによって行われるが、この開口部５１と口部２１との固定部分を密接する状態とすることにより液密構成となるため、従来のようにこの開口部５１と口部２１との固定部分に存在する間隙からの湯水の外容器内への浸入を防止することができる。従って、長期に亘って、例えば、液体容器２に充填した液体を使い切るまでの期間に亘って、外容器内のヌメリやカビの発生を抑止することができるので衛生的に使用することができる。
【００６７】
上記説明したように外容器５と液体容器２とが液密構成により取り付けられた状態で且つ外容器５に液体容器２が収納された構成において、
ポンプ体３の動作によって液体容器２内の液体を吸引・注出するに従って該液体容器２内の負圧化に伴って収縮（縮小）していく際の外容器５内の空気置換は、外容器５の本体５Ｂと蓋体５Ａとの間に設けられた通岐路Ａによって行われる。
【００６８】
通岐路Ａとしては、外容器５の本体５Ｂと蓋体５Ａとを螺合結合した際に、本体５Ｂの上部開口の上端部と蓋体５Ａの天板５２の下面とが部分的に間隙を設けた状態となって、この間隙の部分が通気路Ａとなる構成である。
【００６９】
この通気路Ａの具体的構成としては、例えば、図４及び図５に示す本実施例では、蓋体５Ａの天板５２の下面部に１つ以上（本実施例では４つ）の凸部５２Ａを設け、該凸部５２Ａが本体５Ｂの上部開口の上端部に当接することにより、該上端部と蓋体５Ａの天板５２の下面部との間に間隙が形成され、この間隙が通気路Ａとなる。
【００７０】
以上、本発明に係る液体取出装置について実施例に基づき説明したが、本発明は上記実施例に限定されず、本発明の範囲内において他の態様を採ることもできる。
【００７１】
例えば、上記実施例では、上鍔状部２４と下鍔状部２５の各々が開口部５１の開口円筒部５１Ａの内周面に二箇所で密接することによって二重の液密状態となる構成としていたが、上部と下部のいずれか一方のみの液密構成であってもよいし、上部と下部の中間部分の液密構成や、三箇所以上で密接する三重以上の液密構成であってもよい。液体容器２の基部２２の外周に形成される鍔状部は上記実施例の２枚（上鍔状部２４・下鍔状部２５）に限らず、いずれか１枚であってもよいし、別なる鍔状部を加えた３枚以上であってもよい。
【００７２】
また、上記実施例では、開口部５１から下方に垂設された開口円筒部５１Ａの内周面で液密となる構成としていたが、開口円筒部５１Ａを設けることなく開口部５１の開口内面での液密構成とすることもできる。
【００７３】
更に、上記実施例では、開口円筒部５１Ａの内周面の上部に凸条リブ５１Ｂを設け、この凸条リブ５１Ｂに上鍔状部２４を密接させる構成としていたが、本発明はかかる構成に限定されず、開口円筒部５１Ａの内周面と前記基部２２とが密接する部分のいずれか一方又は両方に、凸条リブ及び／又は凹条溝を設け、この凸条リブ及び／又は凹条溝の密接によって液密状態となる構成とすることもできる。例えば、図６〜図９に構成例を示す。
【００７４】
図６に示す態様は、開口円筒部５１Ａの内周面の上部と下部に凹条溝５５・５６を設け、この凹条溝５５・５６の各々に上鍔状部２４・下鍔状部２５の外周端が嵌入状態で密接することによって液密となる構成である。
【００７５】
図７に示す態様は、開口円筒部５１Ａの内周面の上部と下部に凸条リブ５１Ｂ・５１Ｂを設け、この凸条リブ５１Ｂ・５１Ｂの各々に上鍔状部２４・下鍔状部２５の外周端に設けられた凹条溝２４Ａ・２５Ａの各々嵌入状態で密接することによって液密となる構成である。
【００７６】
図８に示す態様は、開口円筒部５１Ａの内周面に凸条リブや凹状溝を設けることなく平坦とし、この平坦な部分に上鍔状部２４・下鍔状部２５の外周面が面で密接することによって液密となる構成である。
【００７７】
図９に示す態様は、上鍔状部２４の外周面の下半部を切欠し、下鍔状部２５の外周面の上半部を切欠し、この切欠した部分に開口円筒部５１Ａの上端縁部と下端縁部とは嵌入状態で密接することによって液密となる構成である。
【００７８】
また、上記実施例では、開口部５１と口部２１との取付は螺合構成としていたが、図１０に示すような嵌合構成とすることもできる。
【００７９】
図１０に示す嵌合構成は、前記外容器５の開口部５１から下方に垂設状態で連設する開口円筒部５１Ａの内径と、液体容器２の基部２２であって上鍔状部２４と下鍔状部２５との間の部分の外径と、を略一致させた構成とすることにより、前記開口円筒部５１Ａの内周面に前記基部２２の外周面が密接した状態となって嵌合する構成である。この密接状態での嵌合構成によって、外容器５と液体容器２との取付部分が液密構成となるので、この取付部分から外容器５内への水分の浸入を阻止することができる。
【００８０】
更に、上記実施例では、外容器５が蓋体５Ａと本体５Ｂを有する２部材構成としていたが、例えば、外容器５の底部を開放構成として液体容器２を下方から収納する構成とすることもできる。この場合、外容器５は単体構成としてもよいし、底部を閉塞する底部材を付加した２部材構成としてもよい。
【００８１】
例えば、上記実施例では、蓋体５Ａの天板５２の下面部に１つ以上の凸部５２Ａを設けることにより通気路Ａを形成した構成としていたが、図１１に示すように天板５２の下面部に１つ以上（好ましくは複数個）の凹部５２Ｂを設けることにより通気路Ａを形成する構成としてもよい。
【００８２】
また、図１２に示すように本体５Ｂの上部開口の上端部に１つ以上（好ましくは複数個）の凹部５２Ｃを設けることにより通気路Ａを形成する構成としてもよい。
【００８３】
更に、図１３に示すように本体５Ｂの上部開口の上端部に１つ以上（好ましくは複数個）の凸部５２Ｄを設けることにより通気路Ａを形成する構成としてもよい。
【００８４】
更にまた、蓋体５Ａと本体５Ｂの両方に凸部や凹部を設けることにより通気路Ａを形成する構成としてもよい。
【符号の説明】
【００８５】
１  液体取出装置
２  液体容器
２１  口部
２２  基部
２２Ａ  螺子構成
２３  取付部材
２４  上鍔状部
２４Ａ  凹状溝
２５  下鍔状部
２５Ａ  凹状溝
２６  掛止爪部
３  ポンプ体
４  吸引管
５  外容器
５Ａ  蓋体
５Ｂ  本体
５１  開口部
５１Ａ  開口円筒部
５１Ｂ  凸条リブ
５１Ｃ  被螺子構成  
５２  天板
５２Ａ  凸部
５２Ｂ  凹部
５２Ｃ  凹部
５２Ｄ  凸部
５３  被掛止爪部
５４  螺合回転負荷部
５５・５６  凹条溝
５７  側壁部
５８  フランジ部
Ａ  通気路
【図１】
0006629642.tif 000002
【図２】
0006629642.tif 000003
【図３】
0006629642.tif 000004
【図４】
0006629642.tif 000005
【図５】
0006629642.tif 000006
【図６】
0006629642.tif 000007
【図７】
0006629642.tif 000008
【図８】
0006629642.tif 000009
【図９】
0006629642.tif 000010
【図１０】
0006629642.tif 000011
【図１１】
0006629642.tif 000012
【図１２】
0006629642.tif 000013
【図１３】
0006629642.tif 000014